【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】  式Ｉで表される化合物：
【化１】
2002516865.tif 000001
式中：
環Ｂ及び環Ｆは、独立して、そして各々それらが結合している炭素原子と一緒になって、
ａ）１〜３個の炭素原子が窒素原子で置換されていてもよい不飽和の６員の炭素
環式芳香環；
ｂ）不飽和の５員の炭素環式芳香環；及び
ｃ）１）１個の炭素原子が酸素、窒素もしくは硫黄原子で置換されているか；
２）２個の炭素原子が硫黄と窒素原子、酸素と窒素原子もしくは２個の窒素原子で置換されているか；または
３）３個の炭素原子が３個の窒素原子で置換されているいずれかの不飽和の５員の炭素環式芳香環：
よりなる群から選択され；
Ｒ1は、
ａ）Ｈ、１〜４個の炭素を有する置換されたもしくは未置換のアルキル、置換されたもしくは未置換のアリール、置換されたもしくは未置換のアリールアルキル、置換されたもしくは未置換のヘテロアリールまたは置換されたもしくは未置換のヘテロアリールアルキル；
ｂ）−Ｃ（＝Ｏ）Ｒ9、ここで、Ｒ9はアルキル、アリール及びヘテロアリールよりなる群から選択される；
ｃ）−ＯＲ10、ここで、Ｒ10はＨ及び１〜４個の炭素を有するアルキルよりなる群から選択される；
ｄ）−Ｃ（＝Ｏ）ＮＨ2、−ＮＲ11Ｒ12、−（ＣＨ2）pＮＲ11Ｒ12、−（ＣＨ2）pＯＲ10、−Ｏ（ＣＨ2）pＯＲ10及び−Ｏ（ＣＨ2）pＮＲ11Ｒ12、ここで、ｐは１〜４であり；そして  １）Ｒ11及びＲ12は各々独立してＨ及び１〜４個の炭素を有するアルキルより
なる群から選択されるか；または
２）Ｒ11及びＲ12は一緒になって式−（ＣＨ2）2−Ｘ1−（ＣＨ2）2−の連結基を形成し、ここで、Ｘ1は−Ｏ−、−Ｓ−及び−ＣＨ2−よりなる群から選択される：
よりなる群から選択され；
Ｒ2はＨ、１〜４個の炭素を有するアルキル、−ＯＨ、１〜４個の炭素を有するアルコキシ、−ＯＣ（＝Ｏ）Ｒ9、−ＯＣ（＝Ｏ）ＮＲ11Ｒ12、−Ｏ（ＣＨ2）pＮＲ11Ｒ12、−Ｏ（ＣＨ2）pＯＲ10、６〜１０個の炭素を有する置換されたまたは未置換のアリールアルキル及び置換されたまたは未置換のヘテロアリールアルキルよりなる群から選択され；
Ｒ3、Ｒ4、Ｒ5及びＲ6は各々独立して、
ａ）Ｈ、アリール、ヘテロアリール、Ｆ、Ｃｌ、Ｂｒ、Ｉ、−ＣＮ、ＣＦ3、−ＮＯ2、−ＯＨ、−ＯＲ9、−Ｏ（ＣＨ2）pＮＲ11Ｒ12、−ＯＣ（＝Ｏ）Ｒ9、−ＯＣ（＝Ｏ）ＮＲ2Ｒ7、−ＯＣ（＝Ｏ）ＮＲ11Ｒ12、−Ｏ（ＣＨ2）pＯＲ10、−ＣＨ2ＯＲ10、−ＮＲ11Ｒ12、−ＮＲ10Ｓ（＝Ｏ）2Ｒ9、−ＮＲ10Ｃ（＝Ｏ）Ｒ9；
ｂ）−ＣＨ2ＯＲ14、ここで、Ｒ14はカルボキシル基のヒドロキシル基が除かれた後のアミノ酸の残基である；
ｃ）−ＮＲ10Ｃ（＝Ｏ）ＮＲ11Ｒ12、−ＣＯ2Ｒ2、−Ｃ（＝Ｏ）Ｒ2、−Ｃ（＝Ｏ）ＮＲ11Ｒ12、−ＣＨ＝ＮＯＲ2、−ＣＨ＝ＮＲ9、−（ＣＨ2）pＮＲ11Ｒ12、−（ＣＨ2）pＮＨＲ14または−ＣＨ＝ＮＮＲ2Ｒ2A、ここで、Ｒ2AはＲ2と同じである；
ｄ）−Ｓ（Ｏ）yＲ2−（ＣＨ2）pＳ（Ｏ）yＲ9、−ＣＨ2Ｓ（Ｏ）yＲ14、ここで、ｙは０、１または２である；
ｅ）１〜８個の炭素を有するアルキル、２〜８個の炭素を有するアルケニル及び２〜８個の炭素を有するアルキニル、ここで、
１）各アルキル、アルケニルもしくはアルキニル基は未置換であるか；または
２）各アルキル、アルケニルもしくはアルキニル基は、６〜１０個の炭素を有するアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、−ＣＮ、−ＮＯ2、−ＯＨ、−ＯＲ9、−Ｘ2（ＣＨ2）pＮＲ11Ｒ12、−Ｘ2（ＣＨ2）pＣ（＝Ｏ）ＮＲ11Ｒ12、−Ｘ2（ＣＨ2）pＯＣ（＝Ｏ）ＮＲ11Ｒ12、−Ｘ2（ＣＨ2）pＣＯ2Ｒ9、−Ｘ2（ＣＨ2）pＳ（Ｏ）yＲ9、−Ｘ2（ＣＨ2）pＮＲ10Ｃ（＝Ｏ）ＮＲ11Ｒ12、−ＯＣ（＝Ｏ）Ｒ9、−ＯＣＯＮＨＲ2、−Ｏ−テトラヒドロピラニル、−ＮＲ11Ｒ12、−ＮＲ10Ｃ（＝Ｏ）Ｒ9、−ＮＲ10ＣＯ2Ｒ9、−ＮＲ10Ｃ（＝Ｏ）ＮＲ11Ｒ12、−ＮＨＣ（＝ＮＨ）ＮＨ2、ＮＲ10Ｓ（Ｏ）2Ｒ9、−Ｓ（Ｏ）yＲ9、−ＣＯ2Ｒ2、−Ｃ（＝Ｏ）ＮＲ11Ｒ12、−Ｃ（＝Ｏ）Ｒ2、−ＣＨ2ＯＲ10、−ＣＨ＝ＮＮＲ2Ｒ2A、−ＣＨ＝ＮＯＲ2、−ＣＨ＝ＮＲ9、−ＣＨ＝ＮＮＨＣＨ（Ｎ＝ＮＨ）ＮＨ2、−Ｓ（＝Ｏ）2ＮＲ2Ｒ2A、−Ｐ（＝Ｏ）（ＯＲ10）2、−ＯＲ14及び５〜７個の炭素を有する単糖よりなる群から選択される１〜３個の基で置換されており、ここで、単糖の各ヒドロキシル基は独立して未置換であるかまたはＨ、１〜４個の炭素を有するアルキル、２〜５個の炭素を有するアルキルカルボニルオキシもしくは１〜４個の炭素を有するアルコキシで置換されており；
Ｘ2はＯ、ＳまたはＮＲ10である：
よりなる群から選択され；
Ｒ7及びＲ8は各々独立してＨ、１〜４個の炭素を有するアルキル、１〜４個の炭素を有するアルコキシ、６〜１０個の炭素を有する置換されたもしくは未置換のアリールアルキル、置換されたもしくは未置換のヘテロアリールアルキル、−（ＣＨ2）pＯＲ10、−（ＣＨ2）pＯＣ（＝Ｏ）ＮＲ11Ｒ12及び−（ＣＨ2）pＮＲ11Ｒ12よりなる群から選択されるか；またはＲ7及びＲ8は一緒になって式−ＣＨ2−Ｘ3−ＣＨ2−の連結基を形成し、ここで、Ｘ3はＸ2または結合であり；
ｍ及びｎは各々独立して０、１または２であり；
Ｙは−Ｏ−、−Ｓ−、−Ｎ（Ｒ10）−、−Ｎ+（Ｏ-）（Ｒ10）−、−Ｎ（ＯＲ10）−及び−ＣＨ2−よりなる群から選択され；
Ｚは結合、−Ｏ−、−ＣＨ＝ＣＨ−、−Ｓ−、−Ｃ（＝Ｏ）−、−ＣＨ（ＯＲ10）−、−Ｎ（Ｒ10）−、−Ｎ（ＯＲ10）−、ＣＨ（ＮＲ11Ｒ12）−、−Ｃ（＝Ｏ）Ｎ（Ｒ17）−、−Ｎ（Ｒ17）Ｃ（＝Ｏ）−、−Ｎ（Ｓ（Ｏ）yＲ9）−、−Ｎ（Ｓ（Ｏ）yＮＲ11Ｒ12）−、−Ｎ（Ｃ（＝Ｏ）Ｒ17）−、−Ｃ（Ｒ15Ｒ16）−、−Ｎ+（Ｏ-）（Ｒ10）−、−ＣＨ（ＯＨ）−ＣＨ（ＯＨ）−及び−ＣＨ（Ｏ（Ｃ＝Ｏ）Ｒ9）ＣＨ（ＯＣ（＝Ｏ）Ｒ9A）−よりなる群から選択され、ここで、Ｒ9AはＲ9と同じであり；
Ｒ15及びＲ16は独立してＨ、−ＯＨ、−Ｃ（＝Ｏ）Ｒ10、−Ｏ（Ｃ＝Ｏ）Ｒ9、ヒドロキシアルキル及び−ＣＯ2Ｒ10よりなる群から選択され；
Ｒ17はＨ、アルキル、アリール及びヘテロアリールよりなる群から選択され；
Ａ1及びＡ2はＨ，Ｈ；Ｈ，ＯＲ2；Ｈ，−ＳＲ2；Ｈ，−Ｎ（Ｒ2）2；並びにＡ1とＡ2が一緒になって＝Ｏ、＝Ｓ及び＝ＮＲ2よりなる群から選択される成分を形成する基よりなる群から選択され；
Ｂ1及びＢ2はＨ，Ｈ；Ｈ，−ＯＲ2；Ｈ，−ＳＲ2；Ｈ，−Ｎ（Ｒ2）2；並びにＢ1とＢ2が一緒になって＝Ｏ、＝Ｓ及び＝ＮＲ2よりなる群から選択される成分を形成する基よりなる群から選択され；
ただし、対Ａ1及びＡ2またはＢ1及びＢ2の少なくとも１つは＝Ｏを形成する。
【請求項２】  式：
【化２】
2002516865.tif 000002
で表される請求項１記載の化合物。
【請求項３】  式：
【化３】
2002516865.tif 000003
のジアステレオマーである請求項２記載の化合物。
【請求項４】  式：
【化４】
2002516865.tif 000004
の鏡像異性体である請求項２記載の化合物。
【請求項５】  Ｒ1がＨである請求項１記載の化合物。
【請求項６】  Ｒ2がＨ、ヒドロキシルまたは置換されたもしくは未置換のアルキルである請求項１記載の化合物。
【請求項７】  Ｒ3、Ｒ4、Ｒ5及びＲ6が独立してＨ、置換されたもしくは未置換のアルキル、ハロゲン、置換されたもしくは未置換のアルコキシ、置換されたもしくは未置換のアミノまたは置換されたもしくは未置換のアリールである請求項１の化合物。
【請求項８】  Ｒ7及びＲ8が独立してＨまたは置換されたもしくは未置換のアルキルである請求項１記載の化合物。
【請求項９】  ＹがＯである請求項１記載の化合物。
【請求項１０】  Ｚが結合、Ｏ、Ｓまたは置換されたもしくは未置換のＮである請求項１記載の化合物。
【請求項１１】  ｍ及びｎが独立して１または２である請求項１記載の化合物。
【請求項１２】  ＹがＯであり、Ｚが結合またはＯであり、そしてｍ及びｎが独立して１または２である請求項１記載の化合物。
【請求項１３】  Ａ1Ａ2及びＢ1Ｂ2が独立して＝ＯまたはＨ，Ｈである請求項１記載の化合物。
【請求項１４】  Ｒ1、Ｒ4、Ｒ6及びＲ7が各々Ｈであり、ＹがＯであり、ｎが１であり、Ａ1Ａ2及びＢ1Ｂ2が独立して＝ＯまたはＨ，Ｈであり、Ｒ2がＨ、ＯＨまたは低級アルキルであり、Ｒ3がＨまたは置換されたアルキルであり、Ｒ5及びＲ8が独立してＨまたはアルコキシであり、Ｚが結合またはＯであり、そしてｍが１または２である請求項１記載の化合物。
【請求項１５】  下記式のいずれかで表される化合物：
【化５】
2002516865.tif 000005
上記式中、Ｒ3及びＲ5は、各々独立して、
ａ）Ｈ、アリール、ヘテロアリール、Ｆ、Ｃｌ、Ｂｒ、Ｉ、−ＣＮ、ＣＦ3、−ＮＯ2、−ＯＨ、−ＯＲ9、−Ｏ（ＣＨ2）pＮＲ11Ｒ12、−ＯＣ（＝Ｏ）Ｒ9、−ＯＣ（＝Ｏ）ＮＲ2Ｒ7、−ＯＣ（＝Ｏ）ＮＲ11Ｒ12、−Ｏ（ＣＨ2）pＯＲ10、−ＣＨ2ＯＲ10、−ＮＲ11Ｒ12、−ＮＲ10Ｓ（＝Ｏ）2Ｒ9、−ＮＲ10Ｃ（＝Ｏ）Ｒ9；
ｂ）−ＣＨ2ＯＲ14；
ｃ）−ＮＲ10Ｃ（＝Ｏ）ＮＲ11Ｒ12、−ＣＯ2Ｒ2、−Ｃ（＝Ｏ）Ｒ2、−Ｃ（＝Ｏ）ＮＲ11Ｒ12、−ＣＨ＝ＮＯＲ2、−ＣＨ＝ＮＲ9、−（ＣＨ2）pＮＲ11Ｒ12、−（ＣＨ2）pＮＨＲ14または−ＣＨ＝ＮＮＲ2Ｒ2A、ここで、Ｒ2AはＲ2と同じである；
ｄ）−Ｓ（Ｏ）yＲ2−（ＣＨ2）pＳ（Ｏ）yＲ9、−ＣＨ2Ｓ（Ｏ）yＲ14、ここで、ｙは０、１または２である；
ｅ）１〜８個の炭素を有するアルキル、２〜８個の炭素を有するアルケニル及び２〜８個の炭素を有するアルキニル、ここで、
１）各アルキル、アルケニルもしくはアルキニル基は未置換であるか；または
２）各アルキル、アルケニルもしくはアルキニル基は、６〜１０個の炭素を有するアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、−ＣＮ、−ＮＯ2、−ＯＨ、−ＯＲ9、−Ｘ2（ＣＨ2）pＮＲ11Ｒ12、−Ｘ2（ＣＨ2）pＣ（＝Ｏ）ＮＲ11Ｒ12、−Ｘ2（ＣＨ2）pＯＣ（＝Ｏ）ＮＲ11Ｒ12、−Ｘ2（ＣＨ2）pＣＯ2Ｒ9、−Ｘ2（ＣＨ2）pＳ（Ｏ）yＲ9、−Ｘ2（ＣＨ2）pＮＲ10Ｃ（＝Ｏ）ＮＲ11Ｒ12、−ＯＣ（＝Ｏ）Ｒ9、−ＯＣＯＮＨＲ2、−Ｏ−テトラヒドロピラニル、−ＮＲ11Ｒ12、−ＮＲ10Ｃ（＝Ｏ）Ｒ9、−ＮＲ10ＣＯ2Ｒ9、−ＮＲ10Ｃ（＝Ｏ）ＮＲ11Ｒ12、−ＮＨＣ（＝ＮＨ）ＮＨ2、ＮＲ10Ｓ（Ｏ）2Ｒ9、−Ｓ（Ｏ）yＲ9、−ＣＯ2Ｒ2、−Ｃ（＝Ｏ）ＮＲ11Ｒ12、−Ｃ（＝Ｏ）Ｒ2、−ＣＨ2ＯＲ10、−ＣＨ＝ＮＮＲ2Ｒ2A、−ＣＨ＝ＮＯＲ2、−ＣＨ＝ＮＲ9、−ＣＨ＝ＮＮＨＣＨ（Ｎ＝ＮＨ）ＮＨ2、−Ｓ（＝Ｏ）2ＮＲ2Ｒ2A、−Ｐ（＝Ｏ）（ＯＲ10）2、−ＯＲ14及び５〜７個の炭素を有する単糖よりなる群から選択される１〜３個の基で置換されており、ここで、単糖の各ヒドロキシル基は独立して未置換であるかまたはＨ、１〜４個の炭素を有するアルキル、２〜５個の炭素を有するアルキルカルボニルオキシもしくは１〜４個の炭素を有するアルコキシで置換されており；かつ、上記において、
Ｒ2はＨ、１〜４個の炭素を有するアルキル、−ＯＨ、１〜４個の炭素を有するアルコキシ、−ＯＣ（＝Ｏ）Ｒ9、−ＯＣ（＝Ｏ）ＮＲ11Ｒ12、−Ｏ（ＣＨ2）pＮＲ11Ｒ12、−Ｏ（ＣＨ2）pＯＲ10、６〜１０個の炭素を有する置換されたまたは未置換のアリールアルキル及び置換されたまたは未置換のヘテロアリールアルキルよりなる群から選択され；
Ｒ7はＨ、１〜４個の炭素を有するアルキル、１〜４個の炭素を有するアルコキシ、６〜１０個の炭素を有する置換されたもしくは未置換のアリールアルキル、置換されたもしくは未置換のヘテロアリールアルキル、−（ＣＨ2）pＯＲ10、−（ＣＨ2）pＯＣ（＝Ｏ）ＮＲ11Ｒ12及び−（ＣＨ2）pＮＲ11Ｒ12よりなる群から選択され；
Ｒ9はアルキル、アリール及びヘテロアリールよりなる群から選択され；
Ｒ10はＨ及び１〜４個の炭素を有するアルキルよりなる群から選択され；
Ｒ11及びＲ12は各々独立してＨ及び１〜４個の炭素を有するアルキルよりなる群から選択されるか；またはＲ11及びＲ12は一緒になって式−（ＣＨ2）2−Ｘ1−（ＣＨ2）2−の連結基を形成し、ここで、Ｘ1は−Ｏ−、−Ｓ−及び−ＣＨ2−よりなる群から選択され：
Ｒ14はカルボキシル基のヒドロキシル基が除かれた後のアミノ酸の残基よりなる群から選択され；そして
Ｘ2はＯ、ＳまたはＮＲ10である。
【請求項１６】  Ｒ3及びＲ5が各々独立して、
ａ）Ｈ、ヘテロアリール、Ｆ、Ｂｒ、−ＣＮ、ＣＦ3、−ＮＯ2、−ＯＨ、−ＯＲ9、−Ｏ（ＣＨ2）pＮＲ11Ｒ12、−ＯＣ（＝Ｏ）Ｒ9、−ＯＣ（＝Ｏ）ＮＲ2Ｒ7、−ＯＣ（＝Ｏ）ＮＲ11Ｒ12、−Ｏ（ＣＨ2）pＯＲ10、−ＣＨ2ＯＲ10、−ＮＲ11Ｒ12、−ＮＲ10Ｓ（＝Ｏ）2Ｒ9、−ＮＲ10Ｃ（＝Ｏ）Ｒ9；
ｃ）−ＮＲ10Ｃ（＝Ｏ）ＮＲ11Ｒ12、−ＣＯ2Ｒ2、−Ｃ（＝Ｏ）Ｒ2、−Ｃ（＝Ｏ）ＮＲ11Ｒ12、−ＣＨ＝ＮＯＲ2、−ＣＨ＝ＮＲ9、−（ＣＨ2）pＮＲ11Ｒ12、−（ＣＨ2）pＮＨＲ14；
ｄ）−Ｓ（Ｏ）yＲ2−（ＣＨ2）pＳ（Ｏ）yＲ9、−ＣＨ2Ｓ（Ｏ）yＲ14、ここで、ｙは０、１または２である；及び
ｅ）１〜８個の炭素を有するアルキル、２〜８個の炭素を有するアルケニル及び２〜８個の炭素を有するアルキニル、ここで、
１）各アルキル、アルケニルもしくはアルキニル基は未置換であるか；または
２）各アルキル、アルケニルもしくはアルキニル基は、６〜１０個の炭素を有するアリール、ヘテロアリール、アリールアルコキシ、ヘテロシクロアルコキシ、ヒドロキシアルコキシ、アルキルオキシ−アルコキシ、ヒドロキシアルキルチオ、アルコキシ−アルキルチオ、Ｆ、Ｃｌ、Ｂｒ、Ｉ、−ＣＮ、−ＮＯ2、−ＯＨ、−ＯＲ9、−Ｘ2（ＣＨ2）pＮＲ11Ｒ12、−Ｘ2（ＣＨ2）pＣ（＝Ｏ）ＮＲ11Ｒ12、−Ｘ2（ＣＨ2）pＯＣ（＝Ｏ）ＮＲ11Ｒ12、−Ｘ2（ＣＨ2）pＣＯ2Ｒ9、−Ｘ2（ＣＨ2）pＳ（Ｏ）yＲ9、−Ｘ2（ＣＨ2）pＮＲ10Ｃ（＝Ｏ）ＮＲ11Ｒ12、−ＯＣ（＝Ｏ）Ｒ9、−ＯＣＯＮＨＲ2、−Ｏ−テトラヒドロピラニル、−ＮＲ11Ｒ12、−ＮＲ10Ｃ（＝Ｏ）Ｒ9、−ＮＲ10ＣＯ2Ｒ9、−ＮＲ10Ｃ（＝Ｏ）ＮＲ11Ｒ12、−ＮＨＣ（＝ＮＨ）ＮＨ2、ＮＲ10Ｓ（Ｏ）2Ｒ9、−Ｓ（Ｏ）yＲ9、−ＣＯ2Ｒ2、−Ｃ（＝Ｏ）ＮＲ11Ｒ12、−Ｃ（＝Ｏ）Ｒ2、−ＣＨ2ＯＲ10、−ＣＨ＝ＮＲ9、−Ｓ（＝Ｏ）2ＮＲ2Ｒ2A、−ＯＲ14及び５〜７個の炭素を有する単糖よりなる群から選択される１〜３個の基で置換されており、ここで、単糖の各ヒドロキシル基は独立して未置換であるかまたはＨ、１〜４個の炭素を有するアルキル、２〜５個の炭素を有するアルキルカルボニルオキシもしくは１〜４個の炭素を有するアルコキシで置換されている：
よりなる群から選択される請求項１５記載の化合物。
【請求項１７】  Ｒ5が独立してＨ、−ＯＲ9、−Ｏ（ＣＨ2）pＮＲ11Ｒ12、−ＯＣ（＝Ｏ）Ｒ9、−ＯＣ（＝Ｏ）ＮＲ2Ｒ7、−ＯＣ（＝Ｏ）ＮＲ11Ｒ12、−Ｏ（ＣＨ2）pＯＲ10、−ＣＨ2ＯＲ10、−ＮＲ11Ｒ12、−ＮＲ10Ｓ（＝Ｏ）2Ｒ9、−ＮＲ10Ｃ（＝Ｏ）Ｒ9、−Ｃ（＝Ｏ）ＮＲ11Ｒ12、−（ＣＨ2）pＮＲ11Ｒ12、−Ｓ（Ｏ）yＲ2−（ＣＨ2）pＳ（Ｏ）yＲ9及び−ＣＨ2Ｓ（Ｏ）yＲ14よりなる群から選択され、ここで、ｙが０、１または２である請求項１６記載の化合物。
【請求項１８】  式：
【化６】
2002516865.tif 000006
で表される請求項１７記載の化合物。
【請求項１９】  式：
【化７】
2002516865.tif 000007
の鏡像異性体である請求項１８記載の化合物。
【請求項２０】  式：
【化８】
2002516865.tif 000008
のジアステレオマーである請求項１８記載の化合物。
【請求項２１】  請求項１または請求項１５記載の化合物及び製薬学的に許容しうる担体を含んでなる製薬学的組成物。
【請求項２２】  請求項１８記載の化合物及び製薬学的に許容しうる担体を含んでなる製薬学的組成物。
【請求項２３】  請求項１または請求項１５記載の化合物及び製薬学的に許容しうる担体を含んでなる前立腺疾患を処置するかまたは予防するための製薬学的組成物。
【請求項２４】  前立腺疾患が前立腺癌または前立腺肥大症である請求項２３記載の製薬学的組成物。
【請求項２５】  請求項１または請求項１５記載の化合物及び製薬学的に許容しうる担体を含んでなる血管形成性疾患を処置するかまたは予防するための製薬学的組成物。
【請求項２６】  血管形成性疾患が充実性腫瘍の癌、子宮内膜症、糖尿病性網膜症、乾癬、血管芽細胞腫、眼病または黄斑変性症である請求項２５の製薬学的組成物。
【請求項２７】  請求項１または請求項１５記載の化合物及び製薬学的に許容しうる担体を含んでなる腫瘍形成、慢性関節リウマチ、肺線維症、骨髄線維症、異常な創傷治癒、アテローム性動脈硬化症または再狭窄を処置するかまたは予防するための製薬学的組成物。
【請求項２８】  請求項１または請求項１５記載の化合物及び製薬学的に許容しうる担体を含んでなるアルツハイマー病、筋萎縮性側索硬化症、パーキンソン病、脳卒中、虚血、ハンチントン病、エイズ痴呆症、癲癇、多発性硬化症、末梢ニューロパシーまたは脳もしくは脊髄の損傷を処置するかまたは予防するための製薬学的組成物。
【請求項２９】  請求項１または請求項１５記載の化合物のｔｒｋキナーゼ活性の阻害剤を提供するための使用。
【請求項３０】  ｔｒｋキナーゼがｔｒｋ Ａである請求項２９記載の使用。
【請求項３１】  ｔｒｋキナーゼ活性の阻害剤が炎症を処置ものである請求項２９記載の使用。
【請求項３２】  請求項１または請求項１５記載の化合物の前立腺疾患の処置または予防用の製薬学的製剤を製造するための使用。
【請求項３３】  前立腺疾患が前立腺癌または前立腺肥大症である請求項３２記載の使用。
【請求項３４】  請求項１または請求項１５記載の化合物の血管形成性疾患の処置または予防用の製薬学的製剤を製造するための使用。
【請求項３５】  血管形成性疾患が充実性腫瘍の癌、子宮内膜症、糖尿病性網膜症、乾癬、血管芽細胞腫、眼病または黄斑変性症である請求項３４記載の使用。
【請求項３６】  請求項１または請求項１５記載の化合物のＰＤＧＦＲ活性が病的症状の一因となる疾患の処置または予防用の製薬学的製剤を製造するための使用。
【請求項３７】  請求項１または請求項１５記載の化合物の腫瘍形成、慢性関節リウマチ、肺線維症、骨髄線維症、異常な創傷治癒、アテローム性動脈硬化症または再狭窄の処置または予防用の製薬学的製剤を製造するための使用。
【請求項３８】  請求項１または請求項１５記載の化合物の栄養因子応答細胞の異常な活性を特徴とする疾患の処置または予防用の製薬学的製剤を製造するための使用。
【請求項３９】  請求項１または請求項１５記載の化合物のアルツハイマー病、筋萎縮性側索硬化症、パーキンソン病、脳卒中、虚血、ハンチントン病、エイズ痴呆症、癲癇、多発性硬化症、末梢ニューロパシーまたは脳もしくは脊髄の損傷の処置または予防用の製薬学的製剤を製造するための使用。